(57)【要約】【課題】感度調整を容易にかつ精度良く行うことができる光電式火災警報器を提供することこと。【解決手段】発光素子４２と受光素子４５を有する煙監視手段ＦＳと、発光素子４２と受光素子４５の間に感度設定部材５０が挿入され、かつ煙が存在しないときの１００％発光時における第１の受光出力を検出する第１の検出手段ＦＤ１と、１００％とは異なる任意に設定された第１の発光量の発光時における第２の受光出力を検出する第２の検出手段ＦＤ２と、感度設定部材５０の第１の煙濃度に基づいて第２の受光出力に相当する第２の煙濃度を演算する第１の演算手段ＦＰ１と、記憶手段ＦＭと、記憶手段ＦＭに記憶された第１および第２の受光出力と第１および第２の煙濃度に基づいて、火災監視時の前記発光素子４２の発光時における煙監視手段ＦＳからの受光出力に対する煙の物理量または火災判定レベルを演算する第２の演算手段ＦＰ２とを備えている。【選択図】図１
2008186231.tif 000002
【特許請求の範囲】
【請求項１】
発光素子と受光素子を有する煙監視手段にて前記発光素子を発光させ、そのときの前記受光素子の受光出力を煙検出出力として出力し、感度設定部材を用いて感度調整を行う光電式火災警報器において、
前記発光素子と前記受光素子の間に前記感度設定部材が挿入され、かつ煙が存在しないときの前記発光素子の１００％発光時における前記煙監視手段からの第１の受光出力を検出する第１の検出手段と、
前記発光素子と前記受光素子の間に前記感度設定部材が挿入され、かつ煙が存在しないときの前記発光素子の１００％とは異なる任意に設定された第１の発光量の発光時における前記煙監視手段からの第２の受光出力を検出する第２の検出手段と、
前記感度設定部材の第１の煙濃度に基づいて前記第２の受光出力に相当する第２の煙濃度を演算する第１の演算手段と、
前記第１の受光出力と、前記第２の受光出力と、前記第１および第２の受光出力を得たときの前記感度設定部材の第１の煙濃度と、前記第２の受光出力に相当する第２の煙濃度とを記憶する記憶手段と、
前記記憶手段に記憶された前記第１および第２の受光出力と前記第１および第２の煙濃度に基づいて、火災監視時の前記発光素子の発光時における前記煙監視手段からの受光出力に対する煙の物理量または火災判定レベルを演算する第２の演算手段と
を備えたことを特徴とする光電式火災警報器。
【請求項２】
発光素子と受光素子を有する煙監視手段にて前記発光素子を発光させ、そのときの前記受光素子の受光出力を煙検出出力として出力し、感度設定部材を用いて感度調整を行う光電式火災警報器において、
前記発光素子と前記受光素子の間に前記感度設定部材が挿入され、かつ煙が存在しないときの前記発光素子の１００％発光時における前記煙監視手段からの第１の受光出力を検出する第１の検出手段と、
前記発光素子と前記受光素子の間に前記感度設定部材が挿入され、かつ煙が存在しないときの前記発光素子の１００％とは異なる任意に設定された第１の発光量の発光時における前記煙監視手段からの第２の受光出力を検出する第２の検出手段と、
前記発光素子と前記受光素子の間に前記感度設定部材が挿入され、かつ煙が存在しないときの前記発光素子の１００％とは異なる任意に設定された、前記第１の発光量と異なる第２の発光量の発光時における前記煙監視手段からの第３の受光出力を検出する第３の検出手段と、
前記感度設定部材の第１の煙濃度に基づいて前記第２の受光出力に相当する第２の煙濃度を演算する第１の演算手段と、
前記感度設定部材の第１の煙濃度に基づいて前記第３の受光出力に相当する第３の煙濃度を演算する第３の演算手段と、
前記第１の受光出力と、前記第２の受光出力と、前記第３の受光出力と、前記第１、第２および第３の受光出力を得たときの前記感度設定部材の第１の煙濃度と、前記第２の受光出力に相当する第２の煙濃度と、前記第３の受光出力に相当する第３の煙濃度とを記憶する記憶手段と、
前記記憶手段に記憶された前記第１、第２および第３の受光出力と、前記第１、第２および第３の煙濃度に基づいて、火災監視時の前記発光素子の発光時における前記煙監視手段からの受光出力に対する煙の物理量または火災判定レベルを演算する第２の演算手段と
を備えたことを特徴とする光電式火災警報器。
【請求項３】
発光素子と受光素子を有する煙監視手段にて前記発光素子を発光させ、そのときの前記受光素子の受光出力を煙検出出力として出力し、感度設定部材を用いて感度調整を行う光電式火災警報器において、
前記発光素子と前記受光素子の間に前記感度設定部材が挿入され、かつ煙が存在しないときの前記発光素子の１００％発光時における前記煙監視手段からの第１の受光出力を検出する第１の検出手段と、
前記発光素子と前記受光素子の間に前記感度設定部材が挿入され、かつ煙が存在しないときの前記発光素子の１００％とは異なる任意に設定された第１の発光量の発光時における前記煙監視手段からの第２の受光出力を検出する第２の検出手段と、
前記発光素子と前記受光素子の間に前記感度設定部材が挿入されず、かつ煙が存在しないときの前記発光素子の１００％発光時における前記煙監視手段からの第４の受光出力を検出する第４の検出手段と、
前記感度設定部材の第１の煙濃度に基づいて前記第２の受光出力に相当する第２の煙濃度を演算する第１の演算手段と、
前記第１の受光出力と、前記第２の受光出力と、前記第４の受光出力と、前記第１および第２の受光出力を得たときの前記感度設定部材の第１の煙濃度と、前記第２の受光出力に相当する第２の煙濃度とを記憶する記憶手段と、
前記記憶手段に記憶された前記第１、第２および第４の受光出力と、前記第１および第２の煙濃度に基づいて、火災監視時の前記発光素子の発光時における前記煙監視手段ＦＳからの受光出力に対する煙の物理量または火災判定レベルを演算する第２の演算手段と
を備えたことを特徴とする光電式火災警報器。
【請求項４】
発光素子と受光素子を有する煙監視手段にて前記発光素子を発光させ、そのときの前記受光素子の受光出力を煙検出出力として出力し、感度設定部材を用いて感度調整を行う光電式火災警報器において、
前記発光素子と前記受光素子の間に前記感度設定部材が挿入され、かつ煙が存在しないときの前記発光素子の１００％発光時における前記煙監視手段からの第１の受光出力を検出する第１の検出手段と、
前記発光素子と前記受光素子の間に前記感度設定部材が挿入され、かつ煙が存在しないときの前記発光素子の１００％とは異なる任意に設定された第１の発光量の発光時における前記煙監視手段からの第２の受光出力を検出する第２の検出手段と、
前記発光素子と前記受光素子の間に前記感度設定部材が挿入されず、かつ煙が存在しないときの前記発光素子の１００％発光時における前記煙監視手段からの第４の受光出力を検出する第４の検出手段と、
前記発光素子と前記受光素子の間に前記感度設定部材が挿入されず、かつ煙が存在しないときの前記発光素子の無発光時における前記煙監視手段からの第５の受光出力を検出する第５の検出手段と、
前記感度設定部材の第１の煙濃度に基づいて前記第２の受光出力に相当する第２の煙濃度を演算する第１の演算手段と、
前記第１の受光出力と、前記第２の受光出力と、前記第４の受光出力と、前記第５の受光出力と、前記第１および第２の受光出力を得たときの前記感度設定部材の第１の煙濃度と、前記第２の受光出力に相当する第２の煙濃度とを記憶する記憶手段と、
前記記憶手段に記憶された前記第１、第２、第４および第５の受光出力と、前記第１および第２の煙濃度に基づいて、火災監視時の前記発光素子の発光時における前記煙監視手段からの受光出力に対する煙の物理量または火災判定レベルを演算する第２の演算手段と
を備えたことを特徴とする光電式火災警報器。
【請求項５】
請求項１、３または４記載の光電式火災警報器において、
前記第１の受光出力を得たときの前記感度設定部材の第１の煙濃度は、感度調整範囲の上限値に設定され、かつ前記第２の受光出力に相当する第２の煙濃度は、感度調整範囲の下限値に設定されることを特徴とする光電式火災警報器。
【発明の詳細な説明】
【技術分野】
【０００１】
本発明は、光電式火災警報器に関し、特に光電式火災警報器の感度調整に関するものである。
【背景技術】
【０００２】
従来の光電式火災警報器の感度調整方法として、調整時に実際の煙に類似したパラフィン蒸気を入れ、得られた受光出力により煙感度調整を行う方法や、暗箱内の発光素子と受光素子の間に感度設定部材（たとえば、光散乱板、散乱透過板、または針状の金属片からなる調整棒など）を挿入することにより煙感度の設定を行う方法などがあった。
【０００３】
たとえば、感度設定部材として任意の煙濃度に設定された散乱透過板を発光素子と受光素子の間に挿入して煙感度調整を行う場合、煙がない状態で、任意の煙濃度の散乱透過板が挿入されないときの発光時の受光出力と、散乱透過板が挿入されたときの発光時の受光出力と、散乱透過板が挿入されたときの無発光時の受光出力と、散乱透過板が挿入されないときの無発光時の受光出力等の出力値を得て、その受光出力値と散乱透過板の煙濃度から火災検出時の火災判定レベルと煙濃度を算出していた（たとえば、特許文献１参照。）。
【特許文献１】特開平０７−１８２５８０号公報
【発明の開示】
【発明が解決しようとする課題】
【０００４】
しかしながら、上述の感度調整方法では、４つもしくは３つの上記データを用いて火災判定レベルおよび煙濃度を演算するため、調整工数が多くなっていた。また、一種類の散乱透過板の煙濃度を用いて煙濃度と受光出力特性（近似式）を求めて、火災検出時の火災判定レベルおよび煙濃度を算出するため、精度良く煙濃度を得ることができなかった。
【０００５】
そこで、本発明は、上記のような問題点に着目し、感度調整を容易にかつ精度良く行うことができる光電式火災警報器を提供することを課題とする。
【課題を解決するための手段】
【０００６】
上記課題を解決するためになされた請求項１記載の発明の光電式火災警報器は、図１の基本構成図に示すように、発光素子４２と受光素子４５を有する煙監視手段ＦＳにて前記発光素子４２を発光させ、そのときの前記受光素子４５の受光出力を煙検出出力として出力し、感度設定部材５０を用いて感度調整を行う光電式火災警報器において、前記発光素子４２と前記受光素子４５の間に前記感度設定部材５０が挿入され、かつ煙が存在しないときの前記発光素子４２の１００％発光時における前記煙監視手段ＦＳからの第１の受光出力を検出する第１の検出手段ＦＤ１と、前記発光素子４２と前記受光素子４５の間に前記感度設定部材５０が挿入され、かつ煙が存在しないときの前記発光素子４２の１００％とは異なる任意に設定された第１の発光量の発光時における前記煙監視手段ＦＳからの第２の受光出力を検出する第２の検出手段ＦＤ２と、前記感度設定部材５０の第１の煙濃度に基づいて前記第２の受光出力に相当する第２の煙濃度を演算する第１の演算手段ＦＰ１と、前記第１の受光出力と、前記第２の受光出力と、前記第１および第２の受光出力を得たときの前記感度設定部材５０の第１の煙濃度と、前記第２の受光出力に相当する第２の煙濃度とを記憶する記憶手段ＦＭと、前記記憶手段ＦＭに記憶された前記第１および第２の受光出力と前記第１および第２の煙濃度に基づいて、火災監視時の前記発光素子４２の発光時における前記煙監視手段ＦＳからの受光出力に対する煙の物理量または火災判定レベルを演算する第２の演算手段ＦＰ２とを備えたことを特徴とする。
【０００７】
請求項１記載の発明においては、発光素子４２と受光素子４５を有する煙監視手段ＦＳにて前記発光素子４２を発光させ、そのときの前記受光素子４５の受光出力を煙検出出力として出力し、感度設定部材５０を用いて感度調整を行う光電式火災警報器において、第１の検出手段ＦＤ１、第２の検出手段ＦＤ２、第１の演算手段ＦＰ１、記憶手段ＦＭおよび第２の演算手段ＦＰ２を備えている。第１の検出手段ＦＤ１は、発光素子４２と受光素子４５の間に感度設定部材５０が挿入され、かつ煙が存在しないときの発光素子４２の１００％発光時における煙監視手段ＦＳからの第１の受光出力を検出する。第２の検出手段ＦＤ２は、発光素子４２と受光素子４５の間に感度設定部材５０が挿入され、かつ煙が存在しないときの発光素子４２の１００％とは異なる任意に設定された第１の発光量の発光時における煙監視手段ＦＳからの第２の受光出力を検出する。第１の演算手段ＦＰ１は、感度設定部材５０の第１の煙濃度に基づいて第２の受光出力に相当する第２の煙濃度を演算する。記憶手段ＦＭは、第１の受光出力と、第２の受光出力と、第１および第２の受光出力を得たときの感度設定部材５０の第１の煙濃度と、第２の受光出力に相当する第２の煙濃度とを記憶する。第２の演算手段ＦＰ２は、記憶手段ＦＭに記憶された第１および第２の受光出力と第１および第２の煙濃度に基づいて、火災監視時の発光素子４２の発光時における煙監視手段ＦＳからの受光出力に対する煙の物理量または火災判定レベルを演算する。
【０００８】
それにより、感度設定部材が挿入された状態での発光素子４２の１００％発光時および１００％以外の任意に設定された発光量の発光時の各受光出力と、感度設定部材５０の煙濃度と、感度設定部材５０の煙濃度に基づいて演算された１００％以外の任意に設定された発光量の発光時の受光出力に相当する煙濃度とを用いて、火災判別レベルを求めたり、火災監視時における受光出力から煙濃度を知ることができる。また、感度設定部材５０を挿入した状態での受光出力のみで感度調整できるので、調整作業が簡単である。
【０００９】
上記課題を解決するためになされた請求項２記載の発明の光電式火災警報器は、図２の基本構成図に示すように、発光素子４２と受光素子４５を有する煙監視手段ＦＳにて前記発光素子４２を発光させ、そのときの前記受光素子４５の受光出力を煙検出出力として出力し、感度設定部材５０を用いて感度調整を行う光電式火災警報器において、前記発光素子４２と前記受光素子４５の間に前記感度設定部材５０が挿入され、かつ煙が存在しないときの前記発光素子４２の１００％発光時における前記煙監視手段ＦＳからの第１の受光出力を検出する第１の検出手段ＦＤ１と、前記発光素子４２と前記受光素子４５の間に前記感度設定部材５０が挿入され、かつ煙が存在しないときの前記発光素子４２の１００％とは異なる任意に設定された第１の発光量の発光時における前記煙監視手段ＦＳからの第２の受光出力を検出する第２の検出手段ＦＤ２と、前記発光素子４２と前記受光素子４５の間に前記感度設定部材５０が挿入され、かつ煙が存在しないときの前記発光素子４２の１００％とは異なる任意に設定された、前記第１の発光量と異なる第２の発光量の発光時における前記煙監視手段ＦＳからの第３の受光出力を検出する第３の検出手段ＦＤ３と、前記感度設定部材５０の第１の煙濃度に基づいて前記第２の受光出力に相当する第２の煙濃度を演算する第１の演算手段ＦＰ１と、前記感度設定部材５０の第１の煙濃度に基づいて前記第３の受光出力に相当する第２の煙濃度を演算する第３の演算手段ＦＰ３と、前記第１の受光出力と、前記第２の受光出力と、前記第３の受光出力と、前記第１、第２および第３の受光出力を得たときの前記感度設定部材５０の第１の煙濃度と、前記第２の受光出力に相当する第２の煙濃度と、前記第３の受光出力に相当する第３の煙濃度とを記憶する記憶手段ＦＭと、前記記憶手段ＦＭに記憶された前記第１、第２および第３の受光出力と、前記第１、第２および第３の煙濃度に基づいて、火災監視時の前記発光素子４２の発光時における前記煙監視手段ＦＳからの受光出力に対する煙の物理量または火災判定レベルを演算する第２の演算手段ＦＰ２とを備えたことを特徴とする。
【００１０】
請求項２記載の発明においては、発光素子４２と受光素子４５を有する煙監視手段ＦＳにて前記発光素子４２を発光させ、そのときの前記受光素子４５の受光出力を煙検出出力として出力し、感度設定部材５０を用いて感度調整を行う光電式火災警報器において、第１の検出手段ＦＤ１、第２の検出手段ＦＤ２、第３の検出手段ＦＤ３、第１の演算手段ＦＰ１、第３の演算手段ＦＰ３、記憶手段ＦＭおよび第２の演算手段ＦＰ２を備えている。第１の検出手段ＦＤ１は、発光素子４２と受光素子４５の間に感度設定部材５０が挿入され、かつ煙が存在しないときの発光素子４２の１００％発光時における煙監視手段ＦＳからの第１の受光出力を検出する。第２の検出手段ＦＤ２は、発光素子４２と受光素子４５の間に感度設定部材５０が挿入され、かつ煙が存在しないときの発光素子４２の１００％とは異なる任意に設定された第１の発光量の発光時における煙監視手段ＦＳからの第２の受光出力を検出する。第３の検出手段ＦＤ３は、発光素子４２と受光素子４５の間に感度設定部材５０が挿入され、かつ煙が存在しないときの発光素子４２の１００％とは異なる任意に設定された、第１の発光量と異なる第２の発光量の発光時における煙監視手段ＦＳからの第３の受光出力を検出する。第１の演算手段ＦＰ１は、感度設定部材５０の第１の煙濃度に基づいて第２の受光出力に相当する第２の煙濃度を演算する。第３の演算手段ＦＰ３は、感度設定部材５０の第１の煙濃度に基づいて第３の受光出力に相当する第２の煙濃度を演算する。記憶手段ＦＭは、第１の受光出力と、第２の受光出力と、第３の受光出力と、第１、第２および第３の受光出力を得たときの感度設定部材５０の第１の煙濃度と、第２の受光出力に相当する第２の煙濃度と、第３の受光出力に相当する第３の煙濃度とを記憶する。第２の演算手段ＦＰ２は、記憶手段ＦＭに記憶された第１、第２および第３の受光出力と、第１、第２および第３の煙濃度に基づいて、火災監視時の前記発光素子４２の発光時における煙監視手段ＦＳからの受光出力に対する煙の物理量または火災判定レベルを演算する。
【００１１】
それにより、感度設定部材が挿入された状態での発光素子４２の１００％発光時、１００％以外の任意に設定された、第１の発光量と異なる第２の発光量の発光時の各受光出力と、感度設定部材５０の煙濃度と、感度設定部材５０の煙濃度に基づいて演算された１００％以外の任意に設定された第１の発光量の発光時の受光出力に相当する煙濃度および第２の発光量の発光時の受光出力に相当する煙濃度とを用いて、火災判別レベルを求めたり、火災監視時における受光出力から煙濃度を知ることができる。また、感度設定部材５０を挿入した状態での受光出力のみで感度調整できるので、調整作業が簡単である。
【００１２】
上記課題を解決するためになされた請求項３記載の発明の光電式火災警報器は、図３の基本構成図に示すように、発光素子４２と受光素子４５を有する煙監視手段ＦＳにて前記発光素子４２を発光させ、そのときの前記受光素子４５の受光出力を煙検出出力として出力し、感度設定部材５０を用いて感度調整を行う光電式火災警報器において、前記発光素子４２と前記受光素子４５の間に前記感度設定部材５０が挿入され、かつ煙が存在しないときの前記発光素子４２の１００％発光時における前記煙監視手段ＦＳからの第１の受光出力を検出する第１の検出手段ＦＤ１と、前記発光素子４２と前記受光素子４５の間に前記感度設定部材５０が挿入され、かつ煙が存在しないときの前記発光素子４２の１００％とは異なる任意に設定された第１の発光量の発光時における前記煙監視手段ＦＳからの第２の受光出力を検出する第２の検出手段ＦＤ２と、前記発光素子４２と前記受光素子４５の間に前記感度設定部材５０が挿入されず、かつ煙が存在しないときの前記発光素子４２の１００％発光時における前記煙監視手段ＦＳからの第４の受光出力を検出する第４の検出手段ＦＤ４と、前記感度設定部材５０の第１の煙濃度に基づいて前記第２の受光出力に相当する第２の煙濃度を演算する第１の演算手段ＦＰ１と、前記第１の受光出力と、前記第２の受光出力と、前記第４の受光出力と、前記第１および第２の受光出力を得たときの前記感度設定部材５０の第１の煙濃度と、前記第２の受光出力に相当する第２の煙濃度とを記憶する記憶手段ＦＭと、前記記憶手段ＦＭに記憶された前記第１、第２および第４の受光出力と、前記第１および第２の煙濃度に基づいて、火災監視時の前記発光素子４２の発光時における前記煙監視手段ＦＳからの受光出力に対する煙の物理量または火災判定レベルを演算する第２の演算手段ＦＰ２とを備えたことを特徴とする。
【００１３】
請求項３記載の発明においては、発光素子４２と受光素子４５を有する煙監視手段ＦＳにて前記発光素子４２を発光させ、そのときの前記受光素子４５の受光出力を煙検出出力として出力し、感度設定部材５０を用いて感度調整を行う光電式火災警報器において、第１の検出手段ＦＤ１、第２の検出手段ＦＤ２、第４の検出手段ＦＤ４、第１の演算手段ＦＰ１、記憶手段ＦＭおよび第２の演算手段ＦＰ２を備えている。煙監視手段ＦＳは、発光素子４２と受光素子４５を有し、火災監視時に発光素子４２を発光させ、そのときの受光素子４５の受光出力を煙検出出力として出力する。第１の検出手段ＦＤ１は、発光素子４２と受光素子４５の間に感度設定部材５０が挿入され、かつ煙が存在しないときの発光素子４２の１００％発光時における煙監視手段ＦＳからの第１の受光出力を検出する。第２の検出手段ＦＤ２は、発光素子４２と受光素子４５の間に感度設定部材５０が挿入され、かつ煙が存在しないときの発光素子４２の１００％とは異なる任意に設定された第１の発光量の発光時における煙監視手段ＦＳからの第２の受光出力を検出する。第４の検出手段ＦＤ４は、発光素子４２と受光素子４５の間に感度設定部材５０が挿入されず、かつ煙が存在しないときの発光素子４２の１００％発光時における煙監視手段ＦＳからの第４の受光出力を検出する。第１の演算手段ＦＰ１は、感度設定部材５０の第１の煙濃度に基づいて第２の受光出力に相当する第２の煙濃度を演算する。記憶手段ＦＭは、第１の受光出力と、第２の受光出力と、第４の受光出力と、第１および第２の受光出力を得たときの感度設定部材５０の第１の煙濃度と、第２の受光出力に相当する第２の煙濃度とを記憶する。第２の演算手段ＦＰ２は、記憶手段ＦＭに記憶された第１、第２および第４の受光出力と、第１および第２の煙濃度に基づいて、火災監視時の発光素子４２の発光時における煙監視手段ＦＳからの受光出力に対する煙の物理量または火災判定レベルを演算する。
【００１４】
それにより、感度設定部材５０が挿入された状態での発光素子４２の１００％発光時、１００％以外の任意に設定された発光量の発光時および感度設定部材５０が挿入されずかつ煙が存在しないときの発光素子４２の１００％発光時の各受光出力と、感度設定部材５０の煙濃度と、感度設定部材５０の煙濃度に基づいて演算された１００％以外の任意に設定された第１の発光量の発光時の受光出力に相当する煙濃度とを用いて、火災判別レベルを求めたり、火災監視時における受光出力から煙濃度を知ることができる。また、迷光ノイズの影響を除去して感度調整できるので、精度良く感度調整することができる。
【００１５】
上記課題を解決するためになされた請求項４記載の発明の光電式火災警報器は、図４の基本構成図に示すように、発光素子４２と受光素子４５を有する煙監視手段ＦＳにて前記発光素子４２を発光させ、そのときの前記受光素子４５の受光出力を煙検出出力として出力し、感度設定部材５０を用いて感度調整を行う光電式火災警報器において、前記発光素子４２と前記受光素子４５の間に前記感度設定部材５０が挿入され、かつ煙が存在しないときの前記発光素子４２の１００％発光時における前記煙監視手段ＦＳからの第１の受光出力を検出する第１の検出手段ＦＤ１と、前記発光素子４２と前記受光素子４５の間に前記感度設定部材５０が挿入され、かつ煙が存在しないときの前記発光素子４２の１００％とは異なる任意に設定された第１の発光量の発光時における前記煙監視手段ＦＳからの第２の受光出力を検出する第２の検出手段ＦＤ２と、前記発光素子４２と前記受光素子４５の間に前記感度設定部材５０が挿入されず、かつ煙が存在しないときの前記発光素子４２の１００％発光時における前記煙監視手段ＦＳからの第４の受光出力を検出する第４の検出手段ＦＤ４と、前記発光素子４２と前記受光素子４５の間に前記感度設定部材５０が挿入されず、かつ煙が存在しないときの前記発光素子４２の無発光時における前記煙監視手段ＦＳからの第５の受光出力を検出する第５の検出手段ＦＤ５と、前記感度設定部材５０の第１の煙濃度に基づいて前記第２の受光出力に相当する第２の煙濃度を演算する第１の演算手段ＦＰ１と、前記第１の受光出力と、前記第２の受光出力と、前記第４の受光出力と、前記第５の受光出力と、前記第１および第２の受光出力を得たときの前記感度設定部材５０の第１の煙濃度と、前記第２の受光出力に相当する第２の煙濃度とを記憶する記憶手段ＦＭと、前記記憶手段ＦＭに記憶された前記第１、第２、第４および第５の受光出力と、前記第１および第２の煙濃度に基づいて、火災監視時の前記発光素子４２の発光時における前記煙監視手段ＦＳからの受光出力に対する煙の物理量または火災判定レベルを演算する第２の演算手段ＦＰ２とを備えたことを特徴とする。
【００１６】
請求項４記載の発明においては、発光素子４２と受光素子４５を有する煙監視手段ＦＳにて前記発光素子４２を発光させ、そのときの前記受光素子４５の受光出力を煙検出出力として出力し、感度設定部材５０を用いて感度調整を行う光電式火災警報器において、煙監視手段ＦＳ、第１の検出手段ＦＤ１、第２の検出手段ＦＤ２、第４の検出手段ＦＤ４、第５の検出手段ＦＤ５、第１の演算手段ＦＰ１、記憶手段ＦＭおよび第２の演算手段ＦＰ２を備えている。第１の検出手段ＦＤ１は、発光素子４２と受光素子４５の間に感度設定部材５０が挿入され、かつ煙が存在しないときの発光素子４２の１００％発光時における煙監視手段ＦＳからの第１の受光出力を検出する。第２の検出手段ＦＤ２は、発光素子４２と受光素子４５の間に感度設定部材５０が挿入され、かつ煙が存在しないときの発光素子４２の１００％とは異なる任意に設定された第１の発光量の発光時における煙監視手段ＦＳからの第２の受光出力を検出する。第４の検出手段ＦＤ４は、発光素子４２と受光素子４５の間に感度設定部材５０が挿入されず、かつ煙が存在しないときの発光素子４２の１００％発光時における煙監視手段ＦＳからの第４の受光出力を検出する。第５の検出手段ＦＤ５は、発光素子４２と受光素子４５の間に感度設定部材５０が挿入されず、かつ煙が存在しないときの発光素子４２の無発光時における煙監視手段ＦＳからの第５の受光出力を検出する。第１の演算手段ＦＰ１は、感度設定部材５０の第１の煙濃度に基づいて第２の受光出力に相当する第２の煙濃度を演算する。記憶手段ＦＭは、第１の受光出力と、第２の受光出力と、第４の受光出力と、第５の受光出力と、第１および第２の受光出力を得たときの感度設定部材５０の第１の煙濃度と、第２の受光出力に相当する第２の煙濃度とを記憶する。第２の演算手段ＦＰ２は、記憶手段ＦＭに記憶された第１、第２、第４および第５の受光出力と、第１および第２の煙濃度に基づいて、火災監視時の発光素子４２の発光時における煙監視手段ＦＳからの受光出力に対する煙の物理量または火災判定レベルを演算する。
【００１７】
それにより、感度設定部材５０が挿入された状態での発光素子４２の１００％発光時、１００％以外の任意に設定された発光量の発光時、感度設定部材５０が挿入されずかつ煙が存在しないときの発光素子４２の１００％発光時および感度設定部材５０が挿入されずかつ煙が存在しないときの発光素子４２の無発光時の各受光出力と、感度設定部材５０の煙濃度と、感度設定部材５０の煙濃度に基づいて演算された１００％以外の任意に設定された第１の発光量の発光時の受光出力に相当する煙濃度とを用いて、火災判別レベルを求めたり、火災監視時における受光出力から煙濃度を知ることができる。また、迷光ノイズおよび増幅回路等ノイズの影響を除去して感度調整できるので、さらに精度良く感度調整することができる。
【００１８】
上記課題を解決するためになされた請求項５記載の発明は、請求項１、３または４記載の光電式火災警報器において、前記第１の受光出力を得たときの前記感度設定部材５０の第１の煙濃度は、感度調整範囲の上限値に設定され、かつ前記第２の受光出力に相当する第２の煙濃度は、感度調整範囲の下限値に設定されることを特徴とする。
【００１９】
請求項５記載の発明においては、第１の受光出力を得たときの感度設定部材５０の第１の煙濃度は、感度調整範囲の上限値に設定され、かつ第２の受光出力に相当する第２の煙濃度は、感度調整範囲の下限値に設定される。それにより、感度調整範囲内の上下限値で感度調整することができ、より精度良く煙濃度を検知することができる。
【発明の効果】
【００２０】
請求項１記載の発明によれば、感度設定部材が挿入された状態での発光素子の１００％発光時および１００％以外の任意に設定された発光量の発光時の各受光出力と、感度設定部材の煙濃度と、感度設定部材の煙濃度に基づいて演算された、１００％以外の任意に設定された発光量の発光時の受光出力に相当する煙濃度とを用いて、火災判別レベルを求めたり、火災監視時における受光出力から煙濃度を知ることができる。また、感度設定部材を挿入した状態での受光出力のみで感度調整できるので、調整作業が簡単である。
【００２１】
請求項２記載の発明によれば、感度設定部材が挿入された状態での発光素子の１００％発光時、１００％以外の任意に設定された、第１の発光量と異なる第２の発光量の発光時の各受光出力と、感度設定部材の煙濃度と、感度設定部材の煙濃度に基づいて演算された、１００％以外の任意に設定された第１の発光量の発光時の受光出力に相当する煙濃度および第２の発光量の発光時の受光出力に相当する煙濃度とを用いて、火災判別レベルを求めたり、火災監視時における受光出力から煙濃度を知ることができる。また、感度設定部材を挿入した状態での受光出力のみで感度調整できるので、調整作業が簡単である。
【００２２】
請求項３記載の発明によれば、感度設定部材が挿入された状態での発光素子の１００％発光時、１００％以外の任意に設定された発光量の発光時および感度設定部材が挿入されずかつ煙が存在しないときの発光素子の１００％発光時の各受光出力と、感度設定部材の煙濃度と、感度設定部材の煙濃度に基づいて演算された１００％以外の任意に設定された第１の発光量の発光時の受光出力に相当する煙濃度とを用いて、火災判別レベルを求めたり、火災監視時における受光出力から煙濃度を知ることができる。また、迷光ノイズの影響を除去して感度調整できるので、精度良く感度調整することができる。
【００２３】
請求項４記載の発明によれば、感度設定部材が挿入された状態での発光素子の１００％発光時、１００％以外の任意に設定された発光量の発光時、感度設定部材が挿入されずかつ煙が存在しないときの発光素子の１００％発光時および感度設定部材が挿入されずかつ煙が存在しないときの発光素子の無発光時の各受光出力と、感度設定部材の煙濃度と、感度設定部材の煙濃度に基づいて演算された１００％以外の任意に設定された第１の発光量の発光時の受光出力に相当する煙濃度とを用いて、火災判別レベルを求めたり、火災監視時における受光出力から煙濃度を知ることができる。また、迷光ノイズおよび増幅回路等ノイズの影響を除去して感度調整できるので、さらに精度良く感度調整することができる。
【００２４】
請求項５記載の発明によれば、感度調整範囲内の上下限値で感度調整することができ、より精度良く煙濃度を検知することができる。
【発明を実施するための最良の形態】
【００２５】
以下、本発明の実施形態について図面を参照しながら説明する。なお、本発明の実施形態において、上述の特許文献１に記載のものと同一の部分は、特許文献１における説明および図面を一部流用して説明する。
【００２６】
（第１の実施形態）図５は、本発明の第１の実施形態を示すブロック図である。図５において、光電式火災警報器１は、マイコン２、ＥＥＰＲＯＭ３、発光部４、受光部５、サンプルホールド回路６、Ａ／Ｄ変換回路７、タイマ８および通信部９から構成されている。
【００２７】
マイコン２は、ＣＰＵ２ａ、ＲＯＭ２ｂおよびＲＡＭ２ｃを有する。ＣＰＵ２ａは、後述する種々の演算処理等を行う演算手段（第１の演算手段ＦＰ１および第２の演算手段ＦＰ２に相当）として働く。ＲＯＭ２ｂは、後述するフローチャートに関連したプログラム等が予め格納されている記憶領域と、共通アドレス、自己アドレス、種別、各種定数等が予め格納されている記憶領域とを含む。ＲＡＭ２ｃは、ＣＰＵ２ａが演算処理を行う場合に使用されるワーク領域と、火災現象検出出力（受光出力）の最新の複数回分（たとえば、３秒毎に連続する３回分）を更新記憶するための記憶領域とを含む。
【００２８】
ＥＥＰＲＯＭ３は、マイコン２に接続され、電気的に書き込み／消去が可能な不揮発性の記憶手段（記憶手段ＦＭに相当）である。ＥＥＰＲＯＭ３には、後述する散乱透過板の煙濃度Ｄ１、感度調整時の散乱透過板が挿入されたときの後述する発光素子の１００％発光時における後述する受光素子の受光（検出）出力ＬＶ１、感度調整時の散乱透過板が挿入されたときの発光素子の１００％発光以外の任意に設定された発光量の発光（たとえば、５０％発光）時における受光素子の受光（検出）出力ＬＶ２、任意に設定された発光量の発光（たとえば、５０％発光）時における受光素子の受光（検出）出力ＬＶ２に相当する煙濃度Ｄ２、火災判定レベルＦＬ等を記憶する。
【００２９】
発光部４は、煙検出用発光素子、発光制御回路等を有し、マイコン２に接続される。受光部５は、煙検出用受光素子、増幅回路等を有する。サンプルホールド回路６は、受光部５に接続され、受光部５の受光出力をサンプリングして次回の発光までホールドするものである。Ａ／Ｄ変換回路７は、サンプルホールド回路６の出力をアナログ信号からデジタル信号に変換してマイコン２に入力するものである。サンプルホールド回路６およびＡ／Ｄ変換回路７は、第１の検出手段ＦＤ１および第２の検出手段ＦＤ２に相当する。
【００３０】
タイマ８は、マイコン２に接続され、煙検出動作を行わせるためのタイマ割り込みを発生するものである。通信部９は、マイコン２に接続され、後述する調整器２０と情報の送受信を行うためのものである。
【００３１】
調整器２０は、光電式火災警報器１の感度調整を行うためのものである。調整器２０は、マイコン２１、制御部２２、プリンタ２３、表示部２４、通信部２５および入力部２６から構成されている。
【００３２】
マイコン２１は、ＣＰＵ２１ａ、ＲＯＭ２１ｂおよびＲＡＭ２１ｃを有する。ＣＰＵ２１ａは、後述する種々の演算処理等を行う演算手段として働く。ＲＯＭ２１ｂは、後述するフローチャートに関連したプログラム等や共通アドレス、各種定数等が予め格納されている。ＲＡＭ２１ｃは、ＣＰＵ２１ａが演算処理を行う場合に使用されるワーク領域と、光電式火災警報器１から受信するデータ（たとえば、入力アドレス、入力火災判別用閾値等の判別値等）や、光電式火災警報器１へ送出するデータ（たとえば、共通アドレス、アドレス設定命令、火災閾値設定命令、設定アドレス、設定用火災閾値等）を一時的に記憶するための記憶領域とを含む。
【００３３】
制御部２２は、マイコン２１に接続され、後述する散乱透過板を光電式火災警報器１の光学部に出し入れ制御するものである。プリンタ２３は、マイコン２１に接続され、光電式火災警報器１から受信したデータ等を出力する外部記憶手段として働くものである。表示部２４は、液晶パネル等からなり、マイコン２１に接続されて、受信した設定データ等を表示するものである。
【００３４】
通信部２５は、光電式火災警報器１と情報の送受信を行うためのものである。入力部２６は、マイコン２１に接続され、散乱透過板の煙濃度Ｄ１を入力したりする各種スイッチが設けられているものである。
【００３５】
図６は、発光部４の詳細な構成を示す構成図である。図６において、発光部４は、抵抗Ｒ１〜Ｒ６と、オペアンプＯＰ１と、トランジスタＱ１と、煙検出用発光素子としてのＬＥＤ４２とから構成される。抵抗Ｒ１〜Ｒ３は、それぞれ異なる抵抗値を持ち、一端がＣＰＵ２ａの出力ポートＰ１，Ｐ２，Ｐ３に接続され、他端が抵抗Ｒ４を介して＋Ｖｃｃ電源に接続されると共に、オペアンプＯＰ１の非反転入力端子に接続されている。オペアンプＯＰ１の出力端子は、抵抗Ｒ５を介してｎｐｎ型トランジスタＱ１のベースに接続されている。トランジスタＱ１のエミッタは、ＬＥＤ４２を介して接地され、コレクタは、抵抗Ｒ６を介して＋Ｖｃｃ電源に接続されると共に、オペアンプＯＰ１の反転入力端子に接続されている。
【００３６】
図７は、光電式火災警報器１の光学部に散乱透過板（感度設定部材に相当）５０を挿入した状態を示す図である。図７において、光電式火災警報器１の本体４０には、発光部４（図２）の煙検出用発光素子としてのＬＥＤ４２およびレンズ４３を収納する収納部４１と、受光部５（図２）の煙検出用受光素子４５を収納する収納部４４が設けられている。また、本体４０には、その光学台に設けられた収納溝４７付きの遮光体４６が設けられている。この遮光体４６によっって、ＬＥＤ４２からの光は、直接煙検出用受光素子４５に入らないようになされている。さらに、本体４０には、遮光体４６に対向して収納溝４９付きのラビリンス４８が設けられている。収納溝４７および４９には、散乱透過板５０の各端がそれぞれ挿入されている。この散乱透過板５０は、ＬＥＤ４２から放射される光を、暗箱内に煙が侵入したときの状態のように散乱させるものであり、その中にはカーボン粒子等の反射粉体Ｐが混入されている。
【００３７】
次に、本実施形態について図８〜図１４を参照して説明する。まず、調整器２０の動作を図８および図９を参照しながら説明する。なお、以下の動作説明における判定は、全てＣＰＵ２１ａで行われる。
【００３８】
まず、図８のステップＳ１において、ＲＡＭ２１ｃ等に対する初期設定を行い、ステップＳ２において、光電式火災警報器１がセットされているかどうかを判別し、セットされていなければ、セットされるまで待機し、セットされたら、ステップＳ３において、光電式火災警報器１に電源を供給し、ステップＳ４において、共通アドレスとアドレス返送命令を通信部２５を介して光電式火災警報器１へ送出する。次いで、ステップＳ５において、光電式火災警報器１から設定アドレス（自己アドレス）を受信したかどうかを判別し、受信しなければ、ステップＳ６において、光電式火災警報器１への電源供給をオフする。
【００３９】
一方、ステップＳ５で設定アドレスが受信されると、ステップＳ７において、感度の設定かどうかを判別し、感度の設定であれば、ステップＳ８において、共通アドレスと感度設定命令を通信部２５を介して光電式火災警報器１へ送出する。次いで、ステップＳ１０において、制御部２２により散乱透過板５０を光電式火災警報器１のＬＥＤ４２と煙検出用受光素子４５の間に挿入し、ステップＳ１１において、散乱透過板５０の挿入を表す挿入信号を通信部２５を介して光電式火災警報器１へ送出する。そして、光電式火災警報器１側では、この散乱透過板５０の挿入信号を受信すると、後述するように、種々の設定データを算出する動作に入る。なお、散乱透過板５０の挿入は、制御部２２で自動的に挿入する代わりに、手動で挿入するようにしても良い。
【００４０】
次いで、ステップＳ１２において、入力部２６より入力された散乱透過板５０の煙濃度Ｄ１を通信部２５を介して光電式火災警報器１へ送出する。そして、ステップＳ１３において、散乱透過板５０の挿入信号を受信できなかったことによる光電式火災警報器１からの設定不能信号（図１１のステップＳ５３）を受信したかどうかを判別し、受信していなければ、ステップＳ１４において、光電式火災警報器１からの上述の設定データを受信したかどうかを判別し、受信したら、ステップＳ１５において、受信した設定アドレス（自己アドレス）と、受信した設定データを表示部２４で表示し、必要に応じてプリンタ２３でプリントアウトする。
【００４１】
一方、ステップＳ１３で、設定不能信号を受信した場合、あるいは、ステップＳ１４で、設定データを受信しなかった場合は、ステップＳ１６において、受信した設定アドレス（自己アドレス）と、設定不良を表示部２４で表示し、必要に応じてプリンタ２３でプリントアウトする。そして、ステップＳ１５、Ｓ１６の動作が終了すると、ステップＳ１７において、制御部２２により光電式火災警報器１におけるＬＥＤ４２と煙検出用受光素子４５の間の散乱透過板５０を引き抜いた後、ステップＳ６で光電式火災警報器１への電源の供給をオフし、ステップＳ２に戻って上述の動作を繰り返す。
【００４２】
また、ステップＳ７で感度設定でなければ、図９のステップＳ１８に進み、感度チェックであるかどうかを判別し、感度チェックであれば、ステップＳ１９において、共通アドレスと感度チェック命令を通信部２５を介して光電式火災警報器１へ送出する。そして、ステップＳ２０において、散乱透過板５０が挿入されたどうかを判別し、挿入されていれば、ステップＳ２１において、散乱透過板５０を挿入中であることを表す挿入信号を通信部２５を介して光電式火災警報器１へ送出する。
【００４３】
次いで、ステップＳ２２において、光電式火災警報器１が送出したアナログレベル（図１３のステップＳ８７）を受信したかどうかを判別し、受信したならば、ステップＳ２３において、受信した設定アドレス（自己アドレス）と受信したアナログレベルを表示部２４で表示し、必要に応じてプリンタ２３でプリントアウトする。
【００４４】
また、ステップＳ２２において、光電式火災警報器１が送出したアナログレベルを受信できなければ、ステップＳ２４において、受信した設定アドレス（自己アドレス）と感度チェック不能を表示部２４で表示し、必要に応じてプリンタ２３でプリントアウトする。そして、ステップＳ２３、２４の動作が終了すると、ステップＳ６で光電式火災警報器１への電源の供給をオフし、ステップＳ２に戻って上述の動作を繰り返す。また、ステップＳ１８において、感度チェックでなければ、他の処理を実行する。
【００４５】
次に、光電式火災警報器１の動作を図１０〜図１４を参照しながら説明する。なお、以下の動作説明における判定は、全てＣＰＵ２ａで行われる。まず、図１０のステップＳ３１において、ＲＡＭ２ｃ等に対する初期設定を行い、ステップＳ３２において、調整器２０あるいは火災受信機（図示せず）からの受信信号があるかどうかを判別し、なければ、ステップＳ３３において、タイマ８によるタイマ割り込みがあるかどうかを判別し、なければ、受信信号またはタイマ割り込みがあるまで待機し、タイマ割り込みがあれば、ステップＳ３４において、煙検出処理を行って、ステップＳ３２に戻る。
【００４６】
ステップＳ３２で受信信号があると、ステップＳ３５において、受信信号が調整器２０Ａ類は火災受信機からの呼び出し信号である自己アドレスかどうかを判別し、自己アドレスであれば、ステップＳ３６において、受信命令信号（たとえば、種別返送命令、状態情報返送命令、試験命令、試験結果返送命令等）を解読し、受信命令に従った処理、たとえば、命令信号が状態情報返送命令であれば、検出出力（火災現象の物理量信号、火災信号の有無）を送出する等の処理を行った後、ステップＳ３２に戻って上述の動作を繰り返す。
【００４７】
ステップＳ３５で自己アドレスでなければ、ステップＳ３７において、受信信号が調整器２０或いは火災受信機からの共通アドレスであるかどうかを判別し、共通アドレスであれば、ステップＳ３２に戻って上述の動作を繰り返し、共通アドレスであれば、ステップＳ３８において、感度設定命令かどうかを判別し、感度設定であれば、ステップＳ３９に進んで、後述の感度設定処理を行う。
【００４８】
ステップＳ３８で感度設定命令でないと判別されたら、ステップＳ４０において、調整器２０等からの感度返送命令かどうかを判別し、感度返送命令であれば、ステップＳ４１において、ＥＥＰＲＯＭ３より受光出力ＬＶ１，ＬＶ２、散乱透過板の煙濃度Ｄ１、後述の５０％発光量に相当する煙濃度Ｄ２を読み出し、通信部９を介して調整器２０へ送出し、感度返送命令でなければ、ステップＳ４２において、感度チェック命令かどうかを判別し、感度チェック命令でなければ、ステップＳ３６に進んで、上述の動作を繰り返し、感度チェック命令であれば、ステップＳ４３において、後述の感度チェック処理を行う。
【００４９】
次に、上記ステップＳ３９における感度設定処理の動作を図１１を参照しながら詳しく説明する。図１１のステップＳ５１において、調整モード信号を通信部９を介して調整器２０へ送出し、ステップＳ５２において、散乱透過板５０が挿入されたかどうか、つまり、調整器２０より散乱透過板５０の挿入信号を所定時間内に受信したかどうかを判別し、挿入されていなければ、ステップＳ５３において、設定不能を表す信号を通信部９を介して調整器２０へ送出する。
【００５０】
一方、ステップＳ５２で散乱透過板５０が挿入されたことが判別されると、ステップＳ５４において、発光部４へＬＥＤ４２の１００％発光命令を出力する。
【００５１】
ＬＥＤ４２は、発光命令を受ける前は発光していない。すなわち、図３において、光電式火災警報器１への電源供給時、ＣＰＵ２ａの出力ポートＰ１〜Ｐ３はハイインピーダンスになっており、オペアンプＯＰ１の非反転入力端子および反転入力端子には共に＋Ｖｃｃ電源電圧が入力されるため、オペアンプＯＰ１の出力電圧はゼロとなり、トランジスタはオフとなり、ＬＥＤ４２に電流は流れず、ＬＥＤ４２は発光しない。
【００５２】
抵抗Ｒ１〜Ｒ３の抵抗値は、抵抗Ｒ４およびＲ１による分圧電圧がＬＥＤ４２の１００％発光に対応するように設定され、抵抗Ｒ４およびＲ２による分圧電圧がＬＥＤ４２の任意の発光量、たとえば５０％発光に対応するように設定され、抵抗Ｒ４およびＲ３による分圧電圧がＬＥＤ４２の任意の発光量、たとえば１０％発光に対応するように設定されている。
【００５３】
そこで、ステップＳ５４でＣＰＵ２ａから１００％発光命令が出力されると、出力ポートＰ１はハイインピーダンスからローレベルになり、オペアンプＯＰ１の非反転入力端子には、抵抗Ｒ４および抵抗Ｒ１による分圧電圧（第１の分圧電圧）が供給されるため、オペアンプＯＰ１の出力電圧によりトランジスタＱ１がオンとなり、ＬＥＤ４２に１００％発光に相当する電流が流れて、ＬＥＤ４２は１００％の発光量で発光する。次いで、ステップＳ５５において、ＬＥＤ４２の１００％発光時の受光部５における煙検出用受光素子４５の受光出力ＬＶ１を一旦ＲＡＭ２ｃの記憶領域に読み込む。
【００５４】
次いで、ステップＳ５６において、発光部４へＬＥＤ４２の任意に設定された発光量の発光命令、たとえば５０％発光命令を出力する。ＣＰＵ２ａから５０％発光命令が出力されると、出力ポートＰ２はハイインピーダンスからローレベルになり、オペアンプＯＰ１の非反転入力端子には、抵抗Ｒ４および抵抗Ｒ２による分圧電圧（第２の分圧電圧）が供給されるため、ＬＥＤ４２に５０％発光に相当する電流が流れて、ＬＥＤ４２は５０％の発光量で発光する。次いで、ステップＳ５７において、ＬＥＤ４２の５０％発光時の受光部５における煙検出用受光素子４５の受光出力ＬＶ２を一旦ＲＡＭ２ｃの記憶領域に読み込み、ステップＳ５８において、調整器２０より送出された（図８のステップＳ１２）散乱透過板５０の煙濃度Ｄ１を一旦ＲＡＭ２ｃの記憶領域に読み込む。
【００５５】
次いで、ステップＳ５９において、上述の任意に設定された発光量、たとえば５０％発光時に相当する煙濃度Ｄ２（Ｄ２＝Ｄ１×Ａ（係数））を演算して求め、ステップＳ６０において、煙濃度Ｄ２を一旦ＲＡＭ２ｃの記憶領域に読み込む。次いで、ステップＳ６１において、読み込まれた１００％発光時受光出力ＬＶ１、５０％発光時受光出力ＬＶ２、煙濃度Ｄ１およびＤ２から火災判定レベルを算出する。この火災判定レベルは、後述の（１）式に、ＬＶ１，ＬＶ２，Ｄ１，Ｄ２と、火災と判定するために予め設定される煙濃度値とを代入して算出する。次いで、ステップＳ６２において、１００％発光時受光出力ＬＶ１、５０％発光時受光出力ＬＶ２、煙濃度Ｄ１およびＤ２、火災判定レベル算出値をＥＥＰＲＯＭ３に記憶し、ステップＳ６３において、ＥＥＰＲＯＭ３より受光出力ＬＶ１，ＬＶ２、煙濃度Ｄ１，Ｄ２および火災判定レベル算出値を読み出し、通信部９を介して調整器２０へ送出する。そして、ステップＳ５３，Ｓ６３の動作を終了すると、ステップＳ３２に戻る。
【００５６】
次に、上述のステップＳ３４における煙濃度検出処理の動作を、図１２を参照しながら説明する。まず、ステップＳ７１において、火災監視時、ＥＥＰＲＯＭ３より受光出力ＬＶ１，ＬＶ２、煙濃度Ｄ１，Ｄ２を一旦ＲＡＭ２ｃの記憶領域に読み込み、ステップＳ７２において、発光部４のＬＥＤ４２に対して１００％発光量の発光命令を出力し、ステップＳ７２において、煙濃度Ｄｍの煙が流入したときの受光部５の煙検出用受光素子４５の受光出力ＬＶｍを読み込む。
【００５７】
次いで、ステップＳ７４において、煙濃度Ｄｍ（Ｄｍ＝（Ｄ１−Ｄ２）／（ＬＶ１−ＬＶ２）＊（ＬＶｍ−（ＬＶ２−（ＬＶ１−ＬＶ２）／（Ｄ１−Ｄ２）＊Ｄ２）））を演算して算出する。そして、ステップＳ７５において、算出した煙濃度Ｄｍをアナログレベルに変換してＲＡＭ２ｃの記憶領域の所定位置に記憶してステップＳ３２に戻る。
【００５８】
次に、上述のステップＳ４３における感度チェック処理の動作を図１３を参照しながら説明する。まず、ステップＳ８１において、発光部４のＬＥＤ４２に対して発光命令を出力し、ステップＳ８２において、この時の受光部５の煙検出用受光素子４５の受光出力Ｎ１を記憶する。次いで、ステップＳ８３において、発光部４のＬＥＤ４２に対して無発光命令を出力し、ステップＳ８４において、この時の受光部５の煙検出用受光素子４５の受光出力Ｎ２を記憶する。次いで、ステップＳ８５において、散乱透過板５０が挿入されたかどうか、つまり、調整器２０より散乱透過板５０の挿入信号を受信したかどうかを判別し、挿入されていなければ、ステップＳ８６において、散乱透過板５０が挿入されず、かつ煙が存在しない状態における発光部４のＬＥＤ４２に対して発光命令を出力し、ステップＳ８７において、この時の受光部５の煙検出用受光素子４５の受光出力ＬＶｍを一旦ＲＡＭ２ｃの記憶領域に読み込む。
【００５９】
一方、ステップＳ８５で散乱透過板５０が挿入されていることが判別されると、ステップＳ８８において、散乱透過板５０が挿入され、かつ煙が存在しない状態における発光部４のＬＥＤ４２の無発光時に受光部５の煙検出用受光素子４５が受光した受光出力Ｎ３を一旦ＲＡＭ２ｃの記憶領域に読み込み、ステップＳ８９において、発光部４のＬＥＤ４２に対して発光命令を出力し、ステップＳ９０において、この時の受光部５の煙検出用受光素子４５の受光出力、すなわち、散乱透過板５０が挿入され、かつ煙が存在しない状態における発光部４のＬＥＤ４２の発光時に受光部５の煙検出用受光素子４５が受光した受光出力ＬＶｎを一旦ＲＡＭ２ｃの記憶領域に読み込む。
【００６０】
次いで、ステップＳ９１において、上述のＮ１，Ｎ２、Ｎ３，ＬＶｍ，ＬＶｎを用いて、それぞれ、煙濃度Ｄｍ（ＬＶｍ）＝（Ｄ１−Ｄ２）／（ＬＶ１−ＬＶ２）＊（ＬＶｍ−Ｎ１−Ｎ２）、Ｄｍ（ＬＶｎ）＝（Ｄ１−Ｄ２）／（ＬＶ１−ＬＶ２）＊（ＬＶｎ−Ｎ１−Ｎ２−Ｎ３）を算出する。次いで、ステップＳ９２において、煙濃度Ｄｍ（ＬＶｍ）、Ｄｍ（ＬＶｎ）をアナログレベルに変換して、このアナログレベルを通信部９を介して調整器２０へ送出してステップＳ３２に戻る。
【００６１】
次に、図１４（Ａ）は、第１の実施形態における感度設定時のＬＥＤ４２の発光量と煙濃度Ｄｘの関係を示す図であり、図１４（Ｂ）は、感度設定時および火災監視時の受光出力と煙濃度の関係を示す図である。
【００６２】
本発明では、発光量の変化は煙濃度の変化に比例していることに着目し、感度設定時のＬＥＤ４２の発光量と煙濃度Ｄｘの関係は、予め分かっている１００％発光量および５０％発光量と散乱透過板５０の煙濃度とから、図１４（Ａ）に示すように、発光量１００％の煙濃度Ｄ１の交点とゼロ点を通る直線で表される。発光量５０％に相当する煙濃度Ｄ２は、この直線に基づいて、Ｄ２＝Ｄ１＊Ａ（係数）で求められる。係数Ａは、Ａ＝５０％発光量／１００％発光量である。
【００６３】
また、感度設定時および火災監視時の受光出力と煙濃度の関係は、１００％発光量および５０％発光量の発光時に検出される受光出力ＬＶ１，ＬＶ２と、予め分かっている散乱透過板５０の煙濃度と、図１４（Ａ）で求められたＤ２とから、図１４（Ｂ）に示すように、発光量１００％の煙濃度Ｄ１の交点と発光量５０％と煙濃度Ｄ２の交点を通る直線で表される。
【００６４】
図１４（Ｂ）において、煙濃度がＤｘ相当の散乱透過板５０を挿入したときの特性をＹｓとすると、この特性Ｙｓは次式で表される。
Ｙｓ＝｛（ＬＶ１−ＬＶ２）／（Ｄ１−Ｄ２）｝＊Ｄｘ＋［ＬＶ２−｛（ＬＶ１−ＬＶ２      ）／（Ｄ１−Ｄ２）｝＊Ｄ２］・・・（１）
すなわち、上記（１）式は、ＬＶ１およびＤ１の交点とＬＶ２およびＤ２の交点を通る直線式である。
【００６５】
したがって、火災判別レベルを設定する場合には、上記（１）式において、煙濃度Ｄｘに火災判別レベルとする所定の煙濃度を代入すれば、そのときの特性Ｙｓが火災判別レベルとなる。
【００６６】
また、受光出力ＬＶｍに対応する煙濃度Ｄｍは次式で表される。
Ｄｍ＝｛（Ｄ１−Ｄ２）／（ＬＶ１−ＬＶ２）｝＊［ＬＶｍ−｛ＬＶ２−（ＬＶ１−ＬＶ      ２）／（Ｄ１−Ｄ２）＊Ｄ２｝］・・・（２）
【００６７】
したがって、増幅回路のオフセット等を無視した場合は、受光出力ＬＶ１，ＬＶ２と煙濃度Ｄ１，Ｄ２を用いれば、つまり、これらをＥＥＰＲＯＭ３に予め記憶しておけば、火災判別レベルを求めたり、火災監視時における受光出力から煙濃度（アナログ値＝物理量）を知ることができる。
【００６８】
（第２の実施形態）次に、本発明の第２の実施形態について説明する。上述の第１の実施形態では、散乱透過板５０挿入時における１００％発光時および任意に設定された１つの発光量（たとえば、５０％）の発光時の受光出力ＬＶ１，ＬＶ２と煙濃度Ｄ１，Ｄ２に基づいて火災判別レベル及び煙濃度Ｄｍを求めることができる感度調整方法を示したが、第２の実施形態では、以下に説明するように、散乱透過板５０挿入時における１００％発光時と任意に設定された２つの異なる発光量、すなわち発光量１（たとえば、５０％）および発光量２（たとえば、１０％）の発光時のそれぞれの受光出力ＬＶ１，ＬＶ２、ＬＶ３と煙濃度Ｄ１，Ｄ２，Ｄ３に基づいて火災判別レベル及び煙濃度Ｄｍを求めることができる感度調整方法である。
【００６９】
図１５は、本発明の第２の実施形態を示す感度設定処理の動作を示すフローチャートである。以下、感度設定処理の動作を図１５を参照しながら詳しく説明する。
【００７０】
まず、図１５のステップＳ５１において、調整モード信号を通信部９を介して調整器２０へ送出し、ステップＳ５２において、散乱透過板５０が挿入されたかどうか、つまり、調整器２０より散乱透過板５０の挿入信号を所定時間内に受信したかどうかを判別し、挿入されていなければ、ステップＳ５３において、設定不能を表す信号を通信部９を介して調整器２０へ送出する。
【００７１】
一方、ステップＳ５２で散乱透過板５０が挿入されたことが判別されると、ステップＳ５４において、発光部４へＬＥＤ４２の１００％発光命令を出力する。
【００７２】
そこで、ステップＳ５４でＣＰＵ２ａから１００％発光命令が出力されると、出力ポートＰ１はハイインピーダンスからローレベルになり、オペアンプＯＰ１の非反転入力端子には、抵抗Ｒ４および抵抗Ｒ１による分圧電圧（第１の分圧電圧）が供給されるため、オペアンプＯＰ１の出力電圧によりトランジスタＱ１がオンとなり、ＬＥＤ４２に１００％発光に相当する電流が流れて、ＬＥＤ４２は１００％の発光量で発光する。次いで、ステップＳ５５において、ＬＥＤ４２の１００％発光時の受光部５における煙検出用受光素子４５の受光出力ＬＶ１を一旦ＲＡＭ２ｃの記憶領域に読み込む。
【００７３】
次いで、ステップＳ５６において、発光部４へＬＥＤ４２の任意に設定された発光量１の発光命令、たとえば５０％発光命令を出力する。ＣＰＵ２ａから５０％発光命令が出力されると、出力ポートＰ２はハイインピーダンスからローレベルになり、オペアンプＯＰ１の非反転入力端子には、抵抗Ｒ４および抵抗Ｒ２による分圧電圧（第２の分圧電圧）が供給されるため、ＬＥＤ４２に５０％発光に相当する電流が流れて、ＬＥＤ４２は５０％の発光量１で発光する。次いで、ステップＳ５７において、ＬＥＤ４２の５０％発光時の受光部５における煙検出用受光素子４５の受光出力ＬＶ２を一旦ＲＡＭ２ｃの記憶領域に読み込む。
【００７４】
次いで、ステップＳ５８において、発光部４へＬＥＤ４２の任意に設定された発光量２の発光命令、たとえば１０％発光命令を出力する。ＣＰＵ２ａから１０％発光命令が出力されると、出力ポートＰ３はハイインピーダンスからローレベルになり、オペアンプＯＰ１の非反転入力端子には、抵抗Ｒ４および抵抗Ｒ３による分圧電圧（第３の分圧電圧）が供給されるため、ＬＥＤ４２に１０％発光に相当する電流が流れて、ＬＥＤ４２は１０％の発光量２で発光する。次いで、ステップＳ５９において、ＬＥＤ４２の１０％発光時の受光部５における煙検出用受光素子４５の受光出力ＬＶ３を一旦ＲＡＭ２ｃの記憶領域に読み込み、ステップＳ６０において、調整器２０より送出された（図８のステップＳ１２）散乱透過板５０の煙濃度Ｄ１を一旦ＲＡＭ２ｃの記憶領域に読み込む。
【００７５】
次いで、ステップＳ６１において、上述の任意に設定された発光量１、たとえば５０％発光時の煙濃度Ｄ２（Ｄ２＝Ｄ１×Ａ（係数））を演算して求め、ステップＳ６２において、上述の任意に設定された発光量２、たとえば１０％発光時の煙濃度Ｄ３（Ｄ３＝Ｄ１×Ｂ（係数））を演算して求め、ステップＳ６３において、煙濃度Ｄ２およびＤ３を一旦ＲＡＭ２ｃの記憶領域に読み込む。次いで、ステップＳ６４において、読み込まれた１００％発光時受光出力ＬＶ１、５０％発光時受光出力ＬＶ２、１０％発光時受光出力ＬＶ３、煙濃度Ｄ１、Ｄ２およびＤ３から火災判定レベルを算出する。この火災判定レベルは、後述の近似直線式（３）式に、ＬＶ１，ＬＶ２，ＬＶ３，Ｄ１，Ｄ２、Ｄ３と、火災と判定するために予め設定される煙濃度値とを代入して算出する。次いで、ステップＳ６５において、１００％発光時受光出力ＬＶ１、５０％発光時受光出力ＬＶ２、１０％発光時受光出力ＬＶ２、煙濃度Ｄ１、Ｄ２およびＤ３、火災判定レベル算出値をＥＥＰＲＯＭ３に記憶し、ステップＳ６６において、ＥＥＰＲＯＭ３より受光出力ＬＶ１，ＬＶ２，ＬＶ３、煙濃度Ｄ１，Ｄ２および火災判定レベル算出値を読み出し、通信部９を介して調整器２０へ送出する。そして、ステップＳ５３，Ｓ６６の動作を終了すると、ステップＳ３２に戻る。
【００７６】
なお、この第２の実施形態では、図１０のフローチャートのステップＳ４１では、ＥＥＰＲＯＭ３より受光出力ＬＶ１，ＬＶ２，ＬＶ３、煙濃度Ｄ１，Ｄ２，Ｄ３を読み出して通信部９を介して調整器２０へ送出する。また。図１２のフローチャートのステップＳ７１では、火災監視時、ＥＥＰＲＯＭ３より受光出力ＬＶ１，ＬＶ２，ＬＶ３、煙濃度Ｄ１，Ｄ２，Ｄ３を一旦ＲＡＭ２ｃの記憶領域に読み込む。
【００７７】
図１６（Ａ）は、第２の実施形態における感度設定時のＬＥＤ４２の発光量と煙濃度Ｄｘの関係を示す図であり、図１６（Ｂ）は、感度設定時および火災監視時の受光出力と煙濃度の関係を示す図である。
【００７８】
図１６（Ａ）において、発光量５０％に相当する煙濃度Ｄ２は、発光量１００％の煙濃度Ｄ１の交点とゼロ点を通る直線に基づいて、Ｄ２＝Ｄ１＊Ａ（係数）で求められる。係数Ａは、Ａ＝５０％発光量／１００％発光量である。同様に、発光量１０％に相当する煙濃度Ｄ３は、Ｄ３＝Ｄ１＊Ｂ（係数）で求められる。係数Ｂは、Ｂ＝１０％発光量／１００％発光量である。
【００７９】
図１６（Ｂ）において、煙濃度がＤｘ相当の散乱透過板５０を挿入したときの特性をＹｓとすると、この特性Ｙｓは次式で表される。
Ｙｓ＝｛（ＬＶ１−ＬＶ３）／（Ｄ１−Ｄ３）｝＊Ｄｘ＋［ＬＶ３−｛（ＬＶ１−ＬＶ３      ）／（Ｄ１−Ｄ３）｝＊Ｄ３］・・・（３）
なお、上記（３）式は、ＬＶ１およびＤ１の交点とＬＶ２およびＤ２の交点とＬＶ３およびＤ３の交点とに基づく直線近似式において、各交点が全て直線上になった場合を示す。
【００８０】
したがって、火災判別レベルを設定する場合には、上記（３）式において、煙濃度Ｄｘに火災判別レベルとする所定の煙濃度を代入すれば、そのときの特性Ｙｓが火災判別レベルとなる。
【００８１】
また、受光出力ＬＶｍに対応する煙濃度Ｄｍは次式で表される。
Ｄｍ＝｛（Ｄ１−Ｄ３）／（ＬＶ１−ＬＶ３）｝＊［ＬＶｍ−｛ＬＶ３−（ＬＶ１−ＬＶ      ３）／（Ｄ１−Ｄ３）＊Ｄ３｝］・・・（４）
【００８２】
したがって、増幅回路のオフセット等を無視した場合は、受光出力ＬＶ１，ＬＶ２，ＬＶ３と煙濃度Ｄ１，Ｄ２，Ｄ３を用いれば、つまり、これらをＥＥＰＲＯＭ３に予め記憶しておけば、火災判別レベルを求めたり、火災監視時における受光出力から煙濃度（アナログ値＝物理量）を知ることができる。
【００８３】
（第３の実施形態）次に、本発明の第３の実施形態について説明する。第３の実施形態では、以下に説明するように、散乱透過板５０挿入時における１００％発光時および任意に設定された１つの発光量（たとえば、５０％）の発光時の受光出力ＬＶ１，ＬＶ２と、煙濃度Ｄ１，Ｄ２と、散乱透過板５０非挿入時における発光時の受光出力Ｎ１に基づいて火災判別レベル及び煙濃度Ｄｍを求めることができる感度調整方法である。
【００８４】
図１７は、本発明の第３の実施形態を示す感度設定処理の動作を示すフローチャートである。以下、感度設定処理の動作を図１７を参照しながら詳しく説明する。
【００８５】
まず、図１７のステップＳ５１において、調整モード信号を通信部９を介して調整器２０へ送出し、ステップＳ５２において、散乱透過板５０が挿入されていない状態で発光部４へＬＥＤ４２の発光命令を出力し、ステップＳ５３において、散乱透過板５０が挿入されていない状態で発光部４のＬＥＤ４２が１００％発光したときの受光部５の煙検出用受光素子４５の受光出力Ｎ１をＲＡＭ２ｃに一旦記憶する。この散乱透過板５０非挿入時における発光時の受光出力Ｎ１は、煙検出時の迷光ノイズを表すものとなる。
【００８６】
次いで、ステップＳ５４において、散乱透過板５０が挿入されたかどうか、つまり、調整器２０より散乱透過板５０の挿入信号を所定時間内に受信したかどうかを判別し、挿入されていなければ、ステップＳ５５において、設定不能を表す信号を通信部９を介して調整器２０へ送出する。
【００８７】
一方、ステップＳ５４で散乱透過板５０が挿入されたことが判別されると、ステップＳ５６において、発光部４へＬＥＤ４２の１００％発光命令を出力する。
【００８８】
そこで、ステップＳ５６でＣＰＵ２ａから１００％発光命令が出力されると、出力ポートＰ１はハイインピーダンスからローレベルになり、オペアンプＯＰ１の非反転入力端子には、抵抗Ｒ４および抵抗Ｒ１による分圧電圧（第１の分圧電圧）が供給されるため、オペアンプＯＰ１の出力電圧によりトランジスタＱ１がオンとなり、ＬＥＤ４２に１００％発光に相当する電流が流れて、ＬＥＤ４２は１００％の発光量で発光する。次いで、ステップＳ５７において、ＬＥＤ４２の１００％発光時の受光部５における煙検出用受光素子４５の受光出力ＬＶ１を一旦ＲＡＭ２ｃの記憶領域に読み込む。
【００８９】
次いで、ステップＳ５８において、発光部４へＬＥＤ４２の任意に設定された発光量１の発光命令、たとえば５０％発光命令を出力する。ＣＰＵ２ａから５０％発光命令が出力されると、出力ポートＰ２はハイインピーダンスからローレベルになり、オペアンプＯＰ１の非反転入力端子には、抵抗Ｒ４および抵抗Ｒ２による分圧電圧（第２の分圧電圧）が供給されるため、ＬＥＤ４２に５０％発光に相当する電流が流れて、ＬＥＤ４２は５０％の発光量で発光する。次いで、ステップＳ５９において、ＬＥＤ４２の５０％発光時の受光部５における煙検出用受光素子４５の受光出力ＬＶ２を一旦ＲＡＭ２ｃの記憶領域に読み込む。次いで、ステップＳ６０において、調整器２０より送出された（図８のステップＳ１２）散乱透過板５０の煙濃度Ｄ１を一旦ＲＡＭ２ｃの記憶領域に読み込む。
【００９０】
次いで、ステップＳ６１において、上述の任意に設定された発光量、たとえば５０％発光時の煙濃度Ｄ２（Ｄ２＝Ｄ１×Ａ（係数））を演算して求め、ステップＳ６２において、煙濃度Ｄ２を一旦ＲＡＭ２ｃの記憶領域に読み込む。次いで、ステップＳ６３において、読み込まれた１００％発光時受光出力ＬＶ１、５０％発光時受光出力ＬＶ２、煙濃度Ｄ１、Ｄ２、および散乱透過板５０が挿入されていない状態で発光部４のＬＥＤ４２が１００％発光したときの受光部５の煙検出用受光素子４５の受光出力（迷光ノイズ）Ｎ１から火災判定レベルを算出する。この火災判定レベルは、後述の（５）式に、ＬＶ１，ＬＶ２、Ｄ１，Ｄ２と、火災と判定するために予め設定される煙濃度値とを代入して算出する。次いで、ステップＳ６４において、１００％発光時受光出力ＬＶ１、５０％発光時受光出力ＬＶ２、１０％発光時受光出力ＬＶ２、煙濃度Ｄ１、Ｄ２およびＤ３、散乱透過板５０が挿入されていない状態で発光部４のＬＥＤ４２が発光したときの受光部５の煙検出用受光素子４５の受光出力Ｎ１（迷光ノイズ）、火災判定レベル算出値をＥＥＰＲＯＭ３に記憶し、ステップＳ６５において、ＥＥＰＲＯＭ３より受光出力ＬＶ１，ＬＶ２，ＬＶ３、煙濃度Ｄ１，Ｄ２、迷光ノイズＮ１および火災判定レベル算出値を読み出し、通信部９を介して調整器２０へ送出する。そして、ステップＳ５３，Ｓ６５の動作を終了すると、ステップステップＳ３２に戻る。
【００９１】
なお、この第３の実施形態では、図１０のフローチャートのステップＳ４１では、ＥＥＰＲＯＭ３より受光出力ＬＶ１，ＬＶ２、煙濃度Ｄ１，Ｄ２、煙検出時の迷光ノイズＮ１を読み出して通信部９を介して調整器２０へ送出する。また。図１２のフローチャートのステップＳ７１では、火災監視時、ＥＥＰＲＯＭ３より受光出力ＬＶ１，ＬＶ２、煙濃度Ｄ１，Ｄ２、煙検出時の迷光ノイズＮ１を一旦ＲＡＭ２ｃの記憶領域に読み込む。
【００９２】
図１８（Ａ）は、第３の実施形態における感度設定時のＬＥＤ４２の発光量と煙濃度Ｄｘの関係を示す図であり、図１８（Ｂ）は、感度設定時および火災監視時の受光出力と煙濃度の関係を示す図である。
【００９３】
図１８（Ａ）において、発光量５０％に相当する煙濃度Ｄ２は、発光量１００％の煙濃度Ｄ１の交点とゼロ点を通る直線に基づいて、Ｄ２＝Ｄ１＊Ａ（係数）で求められる。係数Ａは、Ａ＝５０％発光量／１００％発光量である。
【００９４】
図１８（Ｂ）において、煙濃度がＤｘ相当の散乱透過板５０を挿入したときの特性をＹｓとすると、この特性Ｙｓは次式で表される。
Ｙｓ＝｛（ＬＶ１−ＬＶ２）／（Ｄ１−Ｄ２）｝＊Ｄｘ＋［ＬＶ２−｛（ＬＶ１−ＬＶ２      ）／（Ｄ１−Ｄ２）｝＊Ｄ２］・・・（５）
【００９５】
また、火災監視時の煙濃度特性Ｙｍは次式で表される。
Ｙｍ＝｛（ＬＶ１−ＬＶ２）／（Ｄ１−Ｄ２）｝＊Ｄｘ＋Ｎ１・・・（６）
【００９６】
したがって、火災判別レベルを設定する場合には、上記（６）式において、煙濃度Ｄｘに火災判別レベルとする所定の煙濃度を代入すれば、そのときの特性Ｙｍが火災判別レベルとなる。
【００９７】
また、受光出力ＬＶｍに対応する煙濃度Ｄｍは次式で表される。
Ｄｍ＝｛（Ｄ１−Ｄ２）／（ＬＶ１−ＬＶ２）｝＊（ＬＶｍ−Ｎ１）・・・（７）
【００９８】
したがって、受光出力ＬＶ１，ＬＶ２と、煙濃度Ｄ１，Ｄ２と、散乱透過板５０が挿入されていない状態で発光部４のＬＥＤ４２が発光したときの受光部５の煙検出用受光素子４５の受光出力（迷光ノイズ）Ｎ１を用いれば、つまり、これらをＥＥＰＲＯＭ３に予め記憶しておけば、火災判別レベルを求めたり、火災監視時における受光出力から煙濃度（アナログ値＝物理量）を知ることができる。
【００９９】
（第４の実施形態）次に、本発明の第４の実施形態について説明する。第４の実施形態では、以下に説明するように、散乱透過板５０挿入時における１００発光時および任意に設定された１つの発光量（たとえば、５０％）の発光時の受光出力ＬＶ１，ＬＶ２と、煙濃度Ｄ１，Ｄ２と、散乱透過板５０非挿入時における発光時の受光出力Ｎ１（迷光ノイズ）と、散乱透過板５０非挿入時における無発光時の受光出力（増幅回路等のノイズ）Ｎ２とに基づいて火災判別レベル及び煙濃度Ｄｍを求めることができる感度調整方法である。
【０１００】
図１９は、本発明の第４の実施形態を示す感度設定処理の動作を示すフローチャートである。以下、感度設定処理の動作を図１９を参照しながら詳しく説明する。
【０１０１】
まず、図１９のステップＳ５１において、調整モード信号を通信部９を介して調整器２０へ送出し、ステップＳ５２において、散乱透過板５０が挿入されていない状態で発光部４へＬＥＤ４２の１００％発光命令を出力し、ステップＳ５３において、散乱透過板５０が挿入されていない状態で発光部４のＬＥＤ４２が１００％発光したときの受光部５の煙検出用受光素子４５の受光出力（迷光ノイズ）Ｎ１をＲＡＭ２ｃに一旦記憶する。
【０１０２】
次いで、ステップＳ５４において、散乱透過板５０が挿入されていない状態で発光部４へＬＥＤ４２の無発光命令を出力し、ステップＳ５５において、散乱透過板５０が挿入されていない状態で発光部４のＬＥＤ４２が発光していないときの受光部５の煙検出用受光素子４５の受光出力Ｎ２をＲＡＭ２ｃに一旦記憶する。この受光出力Ｎ２は、この散乱透過板５０非挿入時における無発光時の受光出力Ｎ２は、受光部５における増幅回路等のノイズを表すものとなる。
【０１０３】
次いで、ステップＳ５６において、散乱透過板５０が挿入されたかどうか、つまり、調整器２０より散乱透過板５０の挿入信号を所定時間内に受信したかどうかを判別し、挿入されていなければ、ステップＳ５７において、設定不能を表す信号を通信部９を介して調整器２０へ送出する。
【０１０４】
一方、ステップＳ５６で散乱透過板５０が挿入されたことが判別されると、ステップＳ５８において、発光部４へＬＥＤ４２の１００％発光命令を出力し、ステップＳ５９において、ＬＥＤ４２の１００％発光時の受光部５における煙検出用受光素子４５の受光出力ＬＶ１を一旦ＲＡＭ２ｃの記憶領域に読み込む。
【０１０５】
次いで、ステップＳ６０において、発光部４へＬＥＤ４２の任意に設定された発光量１の発光命令、たとえば５０％発光命令を出力し、ステップＳ６１において、ＬＥＤ４２の５０％発光時の受光部５における煙検出用受光素子４５の受光出力ＬＶ２を一旦ＲＡＭ２ｃの記憶領域に読み込む。次いで、ステップＳ６２において、調整器２０より送出された（図８のステップＳ１２）散乱透過板５０の煙濃度Ｄ１を一旦ＲＡＭ２ｃの記憶領域に読み込む。
【０１０６】
次いで、ステップＳ６３において、上述の任意に設定された発光量、たとえば５０％発光時の煙濃度Ｄ２（Ｄ２＝Ｄ１×Ａ（係数））を演算して求め、ステップＳ６４において、煙濃度Ｄ２を一旦ＲＡＭ２ｃの記憶領域に読み込む。次いで、ステップＳ６５において、読み込まれた１００％発光時受光出力ＬＶ１、５０％発光時受光出力ＬＶ２、煙濃度Ｄ１、Ｄ２、散乱透過板５０が挿入されていない状態で発光部４のＬＥＤ４２が発光したときの受光部５の煙検出用受光素子４５の受光出力（迷光ノイズ）Ｎ１、および散乱透過板５０が挿入されていない状態で発光部４のＬＥＤ４２が発光していないときの受光部５の煙検出用受光素子４５の受光出力（増幅回路等ノイズ）Ｎ２から火災判定レベルを算出する。この火災判定レベルは、後述の（８）式に、ＬＶ１，ＬＶ２，Ｄ１，Ｄ２と、火災と判定するために予め設定される煙濃度値とを代入して算出する。次いで、ステップＳ６６において、１００％発光時受光出力ＬＶ１、５０％発光時受光出力ＬＶ２、煙濃度Ｄ１，Ｄ２、迷光ノイズＮ１、増幅回路等ノイズＮ２、火災判定レベル算出値をＥＥＰＲＯＭ３に記憶し、ステップＳ６７において、ＥＥＰＲＯＭ３より受光出力ＬＶ１，ＬＶ２、煙濃度Ｄ１，Ｄ２、迷光ノイズＮ１、増幅回路等ノイズＮ２および火災判定レベル算出値を読み出し、通信部９を介して調整器２０へ送出する。そして、ステップＳ５３，Ｓ６７の動作を終了すると、ステップステップＳ３２に戻る。
【０１０７】
なお、この第４の実施形態では、図１０のフローチャートのステップＳ４１では、ＥＥＰＲＯＭ３より受光出力ＬＶ１，ＬＶ２、煙濃度Ｄ１，Ｄ２、迷光ノイズＮ１、増幅回路等ノイズＮ２を読み出して通信部９を介して調整器２０へ送出する。また。図１２のフローチャートのステップＳ７１では、火災監視時、ＥＥＰＲＯＭ３より受光出力ＬＶ１，ＬＶ２、煙濃度Ｄ１，Ｄ２、迷光ノイズＮ１、増幅回路等ノイズＮ２を一旦ＲＡＭ２ｃの記憶領域に読み込む。
【０１０８】
図２０（Ａ）は、第４の実施形態における感度設定時のＬＥＤ４２の発光量と煙濃度Ｄｘの関係を示す図であり、図２０（Ｂ）は、感度設定時および火災監視時の受光出力と煙濃度の関係を示す図である。
【０１０９】
図２０（Ａ）において、発光量５０％に相当する煙濃度Ｄ２は、発光量１００％の煙濃度Ｄ１の交点とゼロ点を通る直線に基づいて、Ｄ２＝Ｄ１＊Ａ（係数）で求められる。係数Ａは、Ａ＝５０％発光量／１００％発光量である。
【０１１０】
図２０（Ｂ）において、煙濃度がＤｘ相当の散乱透過板５０を挿入したときの特性をＹｓとすると、この特性Ｙｓは次式で表される。
Ｙｓ＝｛（ＬＶ１−ＬＶ２）／（Ｄ１−Ｄ２）｝＊Ｄｘ＋［ＬＶ２−｛（ＬＶ１−ＬＶ２      ）／（Ｄ１−Ｄ２）｝＊Ｄ２］・・・（８）
【０１１１】
また、火災監視時の煙濃度特性Ｙｍは次式で表される。
Ｙｍ＝｛（ＬＶ１−ＬＶ２）／（Ｄ１−Ｄ２）｝＊Ｄｘ＋（Ｎ１＋Ｎ２）・・・（９）
【０１１２】
したがって、火災判別レベルを設定する場合には、上記（９）式において、煙濃度Ｄｘに火災判別レベルとする所定の煙濃度を代入すれば、そのときの特性Ｙｍが火災判別レベルとなる。
【０１１３】
また、受光出力ＬＶｍに対応する煙濃度Ｄｍは次式で表される。
Ｄｍ＝（Ｄ１−Ｄ２）／（ＬＶ１−ＬＶ２）＊（ＬＶｍ−Ｎ１−Ｎ２）・・・（１０）
【０１１４】
したがって、受光出力ＬＶ１，ＬＶ２と、煙濃度Ｄ１，Ｄ２と、迷光ノイズＮ１と、増幅回路等ノイズＮ２を用いれば、つまり、これらをＥＥＰＲＯＭ３に予め記憶しておけば、火災判別レベルを求めたり、火災監視時における受光出力から煙濃度（アナログ値＝物理量）を知ることができる。
【０１１５】
以上の通り、本発明の実施の形態について説明したが、本発明はこれに限らず、種々の変形、応用が可能である。
【０１１６】
たとえば、上述の実施形態において、感度調整範囲を一例として１０±２％／ｍとすると、煙検知しきい値（火災判定レベル）の調整範囲ＭＡＸが１２％／ｍ、ＭＩＮが８％／ｍとなるので、ＬＥＤ４２の発光量１００％を煙濃度Ｄ１＝１２％／ｍ、任意に設定される発光量を８０％とし、８０％発光量を煙濃度Ｄ２＝８％／ｍとすれば、実際に調整したい煙濃度の感度の上下限値を用いて、１０％／ｍねらいで煙検知しきい値を設定することができるので、さらに感度調整の精度が良くなる。
【図面の簡単な説明】
【０１１７】
【図１】本発明の光電式火災警報器の基本構成図である。
【図２】本発明の光電式火災警報器の基本構成図である。
【図３】本発明の光電式火災警報器の基本構成図である。
【図４】本発明の光電式火災警報器の基本構成図である。
【図５】本発明の第１の実施形態を示すブロック図である。（第１の実施形態）
【図６】図５の光電式火災警報器における発光部の詳細な構成を示す構成図である。（第１の実施形態）
【図７】光電式火災警報器の光学部に散乱透過板を挿入した状態を示す図である。（第１の実施形態）
【図８】図５の調整器の動作説明に供するためのフローチャートである。（第１の実施形態）
【図９】図５の調整器の動作説明に供するためのフローチャートである。（第１の実施形態）
【図１０】図５の光電式火災警報器の動作説明に供するためのフローチャートである。（第１の実施形態）
【図１１】図５の光電式火災警報器の動作説明に供するためのフローチャートである。（第１の実施形態）
【図１２】図５の光電式火災警報器の動作説明に供するためのフローチャートである。（第１の実施形態）
【図１３】図５の光電式火災警報器の動作説明に供するためのフローチャートである。（第１の実施形態）
【図１４】（Ａ）は、第１の実施形態における感度設定時のＬＥＤ４２の発光量と煙濃度Ｄｘの関係を示す図であり、（Ｂ）は、感度設定時および火災監視時の受光出力と煙濃度の関係を示す図である。（第１の実施形態）
【図１５】第２の実施形態における図５の光電式火災警報器の動作説明に供するためのフローチャートである。（第２の実施形態）
【図１６】（Ａ）は、第２の実施形態における感度設定時のＬＥＤ４２の発光量と煙濃度Ｄｘの関係を示す図であり、（Ｂ）は、感度設定時および火災監視時の受光出力と煙濃度の関係を示す図である。（第２の実施形態）
【図１７】第３の実施形態における図５の光電式火災警報器の動作説明に供するためのフローチャートである。（第３の実施形態）
【図１８】（Ａ）は、第３の実施形態における感度設定時のＬＥＤ４２の発光量と煙濃度Ｄｘの関係を示す図であり、（Ｂ）は、感度設定時および火災監視時の受光出力と煙濃度の関係を示す図である。（第３の実施形態）
【図１９】第４の実施形態における図５の光電式火災警報器の動作説明に供するためのフローチャートである。（第４の実施形態）
【図２０】（Ａ）は、第４の実施形態における感度設定時のＬＥＤ４２の発光量と煙濃度Ｄｘの関係を示す図であり、（Ｂ）は、感度設定時および火災監視時の受光出力と煙濃度の関係を示す図である。（第４の実施形態）
【符号の説明】
【０１１８】
１      光電式火災警報器
２ａ    ＣＰＵ
３      ＥＥＰＲＯＭ
４      発光部
５      受光部
６      サンプルホールド回路
７      Ａ／Ｄ変換回路
４２    発光素子
４５    受光素子
５０    散乱透過板（感度設定部材）
ＦＳ    煙監視手段
ＦＤ１  第１の検出手段
ＦＤ２  第２の検出手段
ＦＤ３  第３の検出手段
ＦＤ４  第４の検出手段
ＦＤ５  第５の検出手段
ＦＰ１  第１の演算手段
ＦＰ２  第２の演算手段
ＦＰ３  第３の演算手段
ＦＭ    記憶手段
【図１】
2008186231.tif 000003
【図２】
2008186231.tif 000004
【図３】
2008186231.tif 000005
【図４】
2008186231.tif 000006
【図５】
2008186231.tif 000007
【図６】
2008186231.tif 000008
【図７】
2008186231.tif 000009
【図８】
2008186231.tif 000010
【図９】
2008186231.tif 000011
【図１０】
2008186231.tif 000012
【図１１】
2008186231.tif 000013
【図１２】
2008186231.tif 000014
【図１３】
2008186231.tif 000015
【図１４】
2008186231.tif 000016
【図１５】
2008186231.tif 000017
【図１６】
2008186231.tif 000018
【図１７】
2008186231.tif 000019
【図１８】
2008186231.tif 000020
【図１９】
2008186231.tif 000021
【図２０】
2008186231.tif 000022